(57)【要約】【課題】空間の使用を改良したプリントヘッドを提供する。【解決手段】プリントヘッドモジュールは、印刷するページ幅の少なくとも一部分に沿って延在するプリントノズルの第１および第２の列を少なくとも備え、各ノズルは第１のタイプの第１の回路および第２のタイプの第２の回路を、平面図において第１および第２の回路は概ねノズルの両端に配置されるように、含んでおり、該ノズルは、第１の列の各ノズルの第１および第２の回路の各位置が、第２の列の対応するノズルの第１および第２の回路の各位置に対してミラー反転される又は回転されているように配向される。【選択図】図４
2008510635.tif 000002
【特許請求の範囲】
【請求項１】
印刷するページ幅の少なくとも一部分に沿って延在する、第１の列を成すプリントノズルおよび第２の列を成すプリントノズルを少なくとも備え、各プリントノズルが第１のタイプの第１の回路および第２のタイプの第２の回路を含み、該第１の回路は前記プリントノズルの一端に、該第２の回路は前記プリントノズルの他端に配置され、
前記第１の列を成すプリントノズルが含む前記第１の回路の位置が、前記第２の列を成すプリントノズルが含む前記第１の回路の位置に対し回転対称な位置になり、前記第１の列を成すプリントノズルが含む前記第２の回路の位置が、前記第２の列を成すプリントノズルが含む前記第２の回路の位置に対し回転対称な位置になるように、前記プリントノズルが構成されている、プリントヘッドモジュール。
【請求項２】
前記第１の列を成すプリントノズルが含む前記第１の回路の位置が、前記第２の列を成すプリントノズルが含む前記第１の回路の位置に対し１８０度回転されており、前記第１の列を成すプリントノズルが含む前記第２の回路の位置が、前記第２の列を成すプリントノズルが含む前記第２の回路の位置に対し１８０度回転されている、請求項１に記載のプリントヘッドモジュール。
【請求項３】
各プリントノズルにおける前記第１および第２の回路が、前記ページ幅に垂直な一列に配置される、請求項１に記載のプリントヘッドモジュール。
【請求項４】
前記第１の列と前記第２の列とが少なくとも部分的に連結している、請求項１に記載のプリントヘッドモジュール。
【請求項５】
前記第１の列を成す各プリントノズルの前記第１の回路が、
前記第２の列を成すプリントノズルにおける少なくとも１つの隣接するプリントノズルの前記第１の回路と、少なくとも部分的に結合している、請求項４に記載のプリントヘッドモジュール。
【請求項６】
前記第１の列を成す少なくとも過半数のプリントノズルのそれぞれが、前記第２の列を成す、対応するプリントノズルと対になる、請求項１に記載のプリントヘッドモジュール。
【請求項７】
複数の第１の列および複数の第２の列を含み、前記第１の列のそれぞれが、前記第２の列のうちの１つと対になる、請求項１に記載のプリントヘッドモジュール。
【請求項８】
前記第１の列と前記第２の列とが同じ色を印刷するように構成される、請求項１に記載のプリントヘッドモジュール。
【請求項９】
前記第１の列と前記第２の列とが同じインクを印刷するように構成される、請求項８に記載のプリントヘッドモジュール。
【請求項１０】
前記第１の列と前記第２の列とが、同じインク供給部に連結されている、請求項９に記載のプリントヘッドモジュール。
【請求項１１】
複数の第１の列および複数の第２の列を含み、前記第１の列のそれぞれが前記第２の列のうちの１つと対になり、対になった前記第１の列および前記第２の列が、同じインクを印刷するように構成される、請求項１０に記載のプリントヘッド。
【請求項１２】
対になった前記第１の列および前記第２の列が、同じインク供給部に連結されている、請求項１１に記載のプリントヘッドモジュール。
【請求項１３】
前記第１の列と前記第２の列とが、少なくとも１つの電源ノードを共有するように構成される、請求項１に記載のプリントヘッドモジュール。
【請求項１４】
前記電源ノードがアースである、請求項１３に記載のプリントヘッドモジュール。
【請求項１５】
前記アースが、任意の一時点で前記第１および第２の列のうちの１つのみがアースに電流を伝えている状態を想定して電流を伝えるように定格決めされる、請求項１４に記載のプリントヘッドモジュール。
【請求項１６】
前記電源ノードが電流供給管である、請求項１３に記載のプリントヘッドモジュール。
【請求項１７】
前記電流供給管が、任意の一時点で前記第１および第２の列のうちの１つのみが電流供給管を介して電流供給している状態を想定して電流を伝えるように定格決めされる、請求項１６に記載のプリントヘッドモジュール。
【請求項１８】
前記第１および第２の列が少なくとも１つのグローバル信号を共有するように構成される、請求項１に記載のプリントヘッド。
【請求項１９】
前記グローバル信号がファイアリング信号である、請求項１８に記載のプリントヘッド。
【請求項２０】
前記グローバル信号がクロック信号である、請求項１８に記載のプリントヘッド。
【請求項２１】
印刷するページ幅の少なくとも一部分に沿って延在するプリントノズルの第１および第２の列を少なくとも備え、各ノズルが第１のタイプの第１の回路および第２のタイプの第２の回路を、平面図において前記第１および第２の回路が概ね前記ノズルの両端に配置されるように、含んでおり、前記ノズルが、前記第１の列の前記ノズルの前記第１の回路が、前記第２の列の前記ノズルの前記第２の回路に対してよりも、前記第２の列の前記ノズルの前記第１の回路に対してより近接するように配向される、請求項１に記載のプリントヘッドモジュール。
【請求項２２】
印刷するページ幅の少なくとも一部分に沿って延在するプリントノズルの第１および第２の列を少なくとも備え、各ノズルが第１のタイプの第１の回路および第２のタイプの第２の回路を、平面図において前記第１および第２の回路が概ね前記ノズルの両端に配置されるように、含んでおり、前記ノズルが、前記第１の列の前記ノズルの前記第１の回路が、前記第２の列の前記ノズルの前記第２の回路に対してよりも前記第２の列の前記ノズルの前記第１の回路に対してより近接するように配向されるプリントヘッドモジュール。
【請求項２３】
前記第１の列の各ノズルの前記第１および第２の回路の前記各位置が、前記第２の列の前記対応するノズルの前記第１および第２の回路の前記各位置に対して１８０度回転されている、請求項１に記載のプリントヘッドモジュール。
【請求項２４】
各ノズルの前記第１および第２の回路が、前記ページ幅に垂直な一列に配置される、請求項１に記載のプリントヘッドモジュール。
【請求項２５】
ノズルの前記第１および第２の列が少なくとも部分的に連関する、請求項１に記載のプリントヘッドモジュール。
【請求項２６】
前記第１の列の各ノズルの前記第１の回路が、前記第２の列からの少なくとも１つの隣接するノズルの前記第１の回路と少なくとも部分的に連関する、請求項４に記載のプリントヘッドモジュール。
【請求項２７】
前記第１の列の少なくとも過半数のノズルのそれぞれが、前記第２の列の対応するノズルと対になる、請求項１に記載のプリントヘッドモジュール。
【請求項２８】
複数の第１の列および第２の列を含み、前記第１の列のそれぞれが前記第２の列のうちの１つと対になる、請求項１に記載のプリントヘッドモジュール。
【請求項２９】
前記第１および第２の列が同じ色を印刷するように構成される、請求項１に記載のプリントヘッドモジュール。
【請求項３０】
前記第１および第２の列が同じインクを印刷するように構成される、請求項８に記載のプリントヘッドモジュール。
【請求項３１】
前記第１および第２の列が同じインク供給部に連結される、請求項９に記載のプリントヘッドモジュール。
【請求項３２】
複数の第１および第２の列を含み、前記第１の列のそれぞれが前記第２の列のうちの１つと対になり、各対の前記第１および前記第２の列が互いと同じインクを印刷するように構成される、請求項１０に記載のプリントヘッド。
【請求項３３】
各対の前記第１および第２の列が同じインク供給部に連結される、請求項１１に記載のプリントヘッドモジュール。
【請求項３４】
前記第１および第２の列が、少なくとも１つの電源ノードを共有するように構成される、請求項１に記載のプリントヘッドモジュール。
【請求項３５】
前記電源ノードがアースである、請求項１３に記載のプリントヘッドモジュール。
【請求項３６】
前記アースが、任意の一時点で前記第１および第２の列のうちの１つのみがアースに電流を伝えている状態を想定して電流を伝えるように定格決めされる、請求項１４に記載のプリントヘッドモジュール。
【請求項３７】
前記電源ノードが電流供給管である、請求項１３に記載のプリントヘッドモジュール。
【請求項３８】
前記電流供給管が、任意の一時点で前記第１および第２の列のうちの１つのみが前記電流供給管を介して電流を供給している状態を想定して電流を伝えるように定格決めされる、請求項１６に記載のプリントヘッドモジュール。
【請求項３９】
前記第１および第２の列が少なくとも１つのグローバル信号を共有するように構成される、請求項１に記載のプリントヘッド。
【請求項４０】
前記グローバル信号がファイアリング信号である、請求項１８に記載のプリントヘッド。
【請求項４１】
前記グローバル信号がクロック信号である、請求項１８に記載のプリントヘッド。
【請求項４２】
印刷するページ幅の少なくとも一部分に沿って延在するプリントノズルの第１および第２の列を少なくとも備え、各ノズルが第１のタイプの第１の回路および第２のタイプの第２の回路を、平面図において前記第１および第２の回路が概ね前記ノズルの両端に配置されるように、含んでおり、前記ノズルが、前記第１の列の各ノズルの前記第１および第２の回路の各位置が、前記第２の列の対応するノズルの前記第１および第２の回路の各位置に対してミラー反転または回転されているように配向される、請求項１に記載のプリントヘッドモジュール。
【発明の詳細な説明】
【技術分野】
【０００１】
本発明は、プリントヘッドの分野に関する。
【０００２】
本発明は主として、ページ幅にわたって延在する複数のプリントヘッドモジュールを備える出願人のインクジェットプリントヘッドでの使用に関して展開されており、本出願を参照して記載される。しかし、本発明は複数列のプリントノズルを有する他のプリントヘッド配置にも適用できることを理解されたい。
【０００３】
［関連出願の相互参照］
本発明に関する様々な方法、システムおよび装置は、本出願の出願人または譲受人によって出願された以下の付与された米国特許および米国同時係属出願に開示される。これらの付与された米国特許および米国同時係属出願のすべての開示は、参照により本明細書に組み込まれる。
09/517,539    09/112,763    09/112,762    09/112,737    09/112,761
09/113,223    09/517,384    09/505,951    09/516,869    09/517,608
09/505,147    09/505,952    09/517,380    09/516,874    09/517,541
10/203,540    10/636,263    10/203,564    10/636,283    AUTH22US
AUTH23US      AUTH24US      10/407,212    10/407,207    10/683,064
10/683,041    JUM005US      JUM006US      10/727,181    10/727,162
10/727,163    10/727,245    10/727,204    10/727,233    10/727,280
10/727,157    10/727,178    10/727,210    10/727,257    10/727,238
10/727,251    10/727,159    10/727,180    10/727,179    10/727,192
10/727,274    10/727,164    10/727,161    10/727,198    10/727,158
10/754,536    10/754,938    10/727,227    10/727,160    09/575,108
PEC011US      09/575,109    09/575,110    09/607,985    09/607,990
09/607,196    09/606,999    10/173,739    10/189,459    10/854,521
10/854,522    10/854,488    10/854,487    PLT005US      10/854,504
PLT007US      PLT008US      PLT009US      PLT010US      10/854,495
PLT012US      PLT013US      PLT014US      10/854,525    10/854,526
PLT017US      PLT018US      PLT019US      PLT020US      10/854,506
10/854,505    PLT023US      10/854,494    10/854,489    10/854,490
PLT027US      10/854,491    10/854,528    10/854,523    10/854,527
10/854,524    10/854,520    PLT034US      PLT035US      PLT036US
PLT037US      10/854,501    PLT039US      PLT040US      10/854,518
10/854,517
いくつかの特許出願は、それぞれの整理番号によって暫定的に識別される。この番号は対応する出願番号がつくと、置き替えられる。
【背景技術】
【０００４】
比較的高い解像度および印刷速度を有するプリントヘッドの製造は、いくつかの問題を提起する。
【０００５】
これらのうちの１つは、ノズルへの駆動および制御信号の供給に関する。これを行う１つの方法は、プリントノズルが組み立てられる際、同じ基板にＣＭＯＳ層を設けることである。このような統合により、空間を節約し、駆動回路とノズルアクチュエータとの間の比較的短縮した結合が可能になる。
【０００６】
いくつかの相互参照出願で出願人によって開示されるような典型的な配置では、プリントヘッド内の各色は、ページ幅にわたって水平のノズルピッチの半分だけずれた１つの奇数番および偶数番の列を含む。それぞれのノズルおよびその駆動回路は、平面図中でプリントヘッドに対する印刷媒体の進行方向に平行して一列に配置される。さらにプリントヘッドのすべてのノズル／回路の対は同じように配向される。水平のノズルピッチの半分だけずれた奇数番および偶数番の列を使用することで、ノズルおよび関連する駆動回路が単一の列に並んで配置されなければならない場合よりも、ドットがページにわたって互いにより近接して印刷されることになる。適切な列に対するドットデータは、２つの列によって印刷されるデータが最終的にページ上に正確に位置合わせされるように、遅延が与えられる必要がある。
【０００７】
そうは言うものの、ＣＭＯＳおよびノズルに関する空間要件の相対的差異は、プリントヘッド内にまだ若干の無駄な領域があることを意味する。また、高圧回路が別の列からの低圧回路に隣接して配置される設計では、この２つの間の干渉を回避するために、慎重な設計および間隔が要求される。複数の列のプリントノズルを有するプリントヘッド回路における空間の使用を改良する、または少なくとも従来技術の配置に対する有益な代替物を提供することが望ましい。
【発明の開示】
【０００８】
第１の態様において本発明は、印刷するページ幅の少なくとも一部分に沿って延在するプリントノズルの第１および第２の列を少なくとも備えるプリントヘッドモジュールを提供し、各ノズルが、第１のタイプの第１の回路および第２のタイプの第２の回路を、平面図において第１および第２の回路が概ねノズルの両端に配置されるように、含んでおり、このノズルは、第１の列の各ノズルの第１および第２の回路の各位置が、第２の列の対応するノズルの第１および第２の回路の各位置に対してミラー反転または回転されるように配向される。
【０００９】
好ましくは、第１の列の各ノズルの第１および第２の回路の各位置は、第２の列の対応するノズルの第１および第２の回路の各位置に対して１８０度回転されている。
【００１０】
好ましくは、各ノズルの第１および第２の回路は、ページ幅に垂直な一列に配置される。
【００１１】
好ましくは、ノズルの第１および第２の列は少なくとも部分的に連関する。
【００１２】
好ましくは、第１の列の各ノズルの第１の回路は、第２の列からの少なくとも１つの隣接するノズルの第１の回路と少なくとも部分的に連関する。
【００１３】
好ましくは、第１の列の少なくとも過半数のノズルのそれぞれは、第２の列の対応するノズルと対になる。
【００１４】
好ましくは、プリントヘッドモジュールは複数の第１の列および第２の列を含み、第１の列のそれぞれが第２の列のうちの１つと対になる。
【００１５】
好ましくは、第１および第２の列は同じ色を印刷するように構成される。
【００１６】
好ましくは、第１および第２の列は同じインクを印刷するように構成される。
【００１７】
好ましくは、第１および第２の列は同じインク供給部に連結される。
【００１８】
好ましくは、プリントヘッドはさらに複数の第１および第２の列を含み、第１の列のそれぞれは第２の列のうちの１つと対になり、各対の第１および第２の列が互いと同じインクを印刷するように構成される。
【００１９】
好ましくは、各対の第１および第２の列は同じインク供給部に連結される。
【００２０】
好ましくは、第１および第２の列は、少なくとも１つの電源ノードを共有するように構成される。
【００２１】
好ましくは、電源ノードはアースである。
【００２２】
好ましくは、アースは、任意の一時点で第１および第２の列のうちの１つのみがアースに電流を伝えている状態を想定して電流を伝えるように定格決めされる。
【００２３】
好ましくは、電源ノードは電流供給管である。
【００２４】
好ましくは、電流供給管は、任意の一時点で第１および第２の列のうちの１つのみが電流供給管を介して電流を供給している状態を想定して電流を伝えるように定格決めされる。
【００２５】
好ましくは、第１および第２の列は少なくとも１つのグローバル信号を共有するように構成される。
【００２６】
好ましくは、グローバル信号はファイアリング信号である。
【００２７】
好ましくは、グローバル信号はクロック信号である。
【００２８】
別の態様において、本発明は印刷するページ幅の少なくとも一部分に沿って延在するプリントノズルの第１および第２の列を少なくとも備えるプリントヘッドモジュールを提供し、各ノズルが第１のタイプの第１の回路および第２のタイプの第２の回路を、平面図において第１および第２の回路が概ねノズルの両端に配置されるように、含んでおり、このノズルは、第１の列のノズルの第１の回路が、第２の列のノズルの第２の回路に対してよりも、第２の列のノズルの第１の回路に対してより近接するように配向される。
【００２９】
好ましくは、第１の列の各ノズルの第１および第２の回路の各位置は、第２の列の対応するノズルの第１および第２の回路の各位置に対して１８０度回転されている。
【００３０】
好ましくは、各ノズルの第１および第２の回路は、ページ幅に垂直な一列に配置される。
【００３１】
好ましくは、ノズルの第１および第２の列は少なくとも部分的に連関する。
【００３２】
好ましくは、第１の列の各ノズルの第１の回路は、第２の列からの少なくとも１つの隣接するノズルの第１の回路と少なくとも部分的に連関する。
【００３３】
好ましくは、第１の列の少なくとも過半数のノズルのそれぞれは、第２の列の対応するノズルと対になる。
【００３４】
好ましくは、プリントヘッドモジュールは複数の第１の列および第２の列を含み、第１の列のそれぞれは、第２の列のうちの１つと対になる。
【００３５】
好ましくは、第１および第２の列は同じ色を印刷するように構成される。
【００３６】
好ましくは、第１および第２の列は同じインクを印刷するように構成される。
【００３７】
好ましくは、第１および第２の列は同じインク供給部に連結される。
【００３８】
好ましくは、プリントヘッドは、複数の第１および第２の列を含み、第１の列のそれぞれは第２の列のうちの１つと対になり、各対の第１および第２の列は互いと同じインクを印刷するように構成される。
【００３９】
好ましくは、各対の第１および第２の列は同じインク供給部に連結される。
【００４０】
好ましくは、第１および第２の列は、少なくとも１つの電源ノードを共有するように構成される。
【００４１】
好ましくは、電源ノードはアースである。
【００４２】
好ましくは、アースは、任意の一時点で第１および第２の列のうちの１つのみがアースに電流を伝えている状態を想定して電流を伝えるように定格決めされる。
【００４３】
好ましくは、電源ノードは電流供給管である。
【００４４】
好ましくは、電流供給管は、任意の一時点で第１および第２の列のうちの１つのみが電流供給管を介して電流を供給している状態を想定して電流を伝えるように定格決めされる。
【００４５】
好ましくは、第１および第２の列は少なくとも１つのグローバル信号を共有するように構成される。
【００４６】
好ましくは、グローバル信号はファイアリング信号である。
【００４７】
好ましくは、グローバル信号はクロック信号である。
【発明を実施するための最良の形態】
【００４８】
本発明の好ましい実施形態を、添付の図面を参照して例示の目的でのみ記載する。
【００４９】
図面を参照すると、図１はＭｅｍｊｅｔ（商標）ＭＥＭＳプリントヘッド用のユニットセル１（すなわちノズル）を一体に構成する３つの層２、４、６を示す。図１は、図中では３つの別々の層を示すが、図２の側面図で示すように、使用時ユニットセルは層が互いの上面に積重なるように製造されることを理解されたい。さらに層２、４、６のそれぞれは、明確にするために詳細を省いた別の副層および副構成要素から構成されることを理解されたい。
【００５０】
最下層２は能動ＣＭＯＳ回路を含み、２つの主要な領域に分かれる。第１の領域はセル１がインクを吐出するかどうかおよびいつ吐出するかを制御する低圧ＣＭＯＳ論理回路８を含む。第２の領域は高圧ＣＭＯＳを含み、制御論理によって使用可能になるとインクを吐出するアクチュエータ（図２参照）に電流を供給する大型の駆動トランジスタ１０を備える。
【００５１】
中間層４は、ＭＥＭｓ層６との接点を形成するＣＭＯＳ金属層構造体で構成される。駆動トランジスタ１０は駆動コンタクト領域１２に接続する。接地コンタクト領域１４は電流の戻り路を形成し、物理的に制御論理領域８の上に位置する。
【００５２】
上層６は、ＭＥＭｓアクチュエータ１７を含むＭＥＭｓ層である。アクチュエータ１７は、コンタクト領域１２を介して一方の端部１６で駆動トランジスタ１０に接続され、他方の端部１８は接地コンタクト領域１４に接続される。個々の層を通る接続は図２に最もよく示される。図１から、インク穴２０が第１および第２の層２、４を貫通して延在し、アクチュエータによる排出のために第３の層６にインクを供給することにも留意されたい。
【００５３】
図３に示すように、ユニットセル（すなわちノズル）１が完全な従来技術のプリントヘッドを形成するように横列および縦列に整列されると、様々な制限が当接するセルに適用される。明瞭にするためにＣＭＯＳ能動層のみを示すが、その他の層の位置および配向は図１に示すノズル配置に基づいて当業者には明白であろう。
【００５４】
ノズル１の水平に隣接する列の制御論理回路８は概ね直接当接し、グローバル制御信号がこの領域を通って伝送され、これにより信号が各セルに与えられる。同様に水平に隣接するセルの接地コンタクト領域（図示せず）は、連続する金属片を形成する。
【００５５】
列の垂直の間隔は、各層に適用する間隔の制限によって決まる。ＣＭＯＳ能動層では、臨界間隔は１つのセルの高圧領域と隣接する列のセルの低圧領域との間である。ＣＭＯＳコンタクト層では、臨界間隔は１つのセルの駆動コンタクトと隣接する列のセルの接地コンタクトとの間である。ＭＥＭｓ層では、臨界間隔は１つのアクチュエータの駆動ターミナルと隣接する列のアクチュエータの接地コンタクトとの間である。
【００５６】
図４は、１つ置きの列が方向転換されるまたはミラー反転された配列で、セルを列に配置する好ましい実施形態を示す。この図中で使用される参照番号は、これらの番号について前に記載された特徴と対応する。
【００５７】
図４のミラー反転された配置では、高圧と低圧領域との関係により、所与のユニットセル構成要素の寸法に対して全体的により小さい垂直の列ピッチが可能になる。図示のＣＭＯＳ能動層で列の対は、当接する制御論理領域８を有する。これにより、グローバル信号を列ごとに一度でなく、列の対ごとに一度ずつ配列を通って伝送させることが可能になる。さらに各高圧領域は他の高圧領域のみと直接当接し、配列内にその数の高圧と低圧の分離線を有する。
【００５８】
ＣＭＯＳコンタクト層（図示しないが、図１を参照）では、列の対は共通の接地コンタクト領域を共有する。好ましい実施形態において隣接する列のセルは同時にはファイアリングされないので、この共有の接地コンタクトは、単一の列に対して電流を伝えるのに十分な大きさであることのみを必要とする。同様に、ＭＥＭｓ層のアクチュエータの接地ターミナル（図１参照）は共有することができ、これにより必要とされる寸法が縮小される。この実施形態では図示しないが、電流はまた、隣接する列によって共有される電流供給管によって駆動回路に供給されてもよい。
【００５９】
記載してきた好ましい実施形態は、ノズルの１つおきの列が互いに対して１８０度回転されることを示すが、それらの列が互いの鏡像であってもよいことを理解されたい。さらに回転またはミラー反転は、完全に１８０度回転するオフセットを包含する必要はない。本発明の利点の多くは、より小さい角度の相対的回転により実現することができる。好ましい実施形態はまた、図中では同一である装置を示すが、列内の装置は同一である必要はないことを理解されたい。隣接する列のノズル配置を方向転換する、ミラー反転する、あるいは回転させることにより空間および／または設計の改善を利用できるように、隣接する列の少なくともいくつかのノズルの回路の要件が非対称であるということが単に必要である。
【００６０】
全体として、本発明はＣＭＯＳおよびＭＥＭｓ構成要素の寸法に影響することなく、既存の配置より小さい寸法の配列を提供する。
【図面の簡単な説明】
【００６１】
【図１】プリントヘッドのユニットセル（すなわちノズル）を備える３つの別個の層の概略図である。
【図２】それらの作動上の相対的位置における、図１の３層の垂直立面図である。
【図３】図１および図２のユニットセルの縦列および横列の知られた配置を示す図である。
【図４】本発明による、図１および図２のユニットセルの縦列および横列の配置を示す図である。
【図１】
2008510635.tif 000003
【図２】
2008510635.tif 000004
【図３】
2008510635.tif 000005
【図４】
2008510635.tif 000006
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
印刷するページ幅の少なくとも一部分に沿って延在する、第１の列を成すプリントノズルおよび第２の列を成すプリントノズルを少なくとも備え、各プリントノズルが第１のタイプの第１の回路および第２のタイプの第２の回路を含み、該第１の回路は前記プリントノズルの一端に、該第２の回路は前記プリントノズルの他端に配置され、
前記第１の列を成すプリントノズルが含む前記第１の回路の位置が、前記第２の列を成すプリントノズルが含む前記第１の回路の位置に対し回転対称な位置になり、前記第１の列を成すプリントノズルが含む前記第２の回路の位置が、前記第２の列を成すプリントノズルが含む前記第２の回路の位置に対し回転対称な位置になるように、前記プリントノズルが構成されている、プリントヘッドモジュール。
【請求項２】
前記第１の列を成すプリントノズルが含む前記第１の回路の位置が、前記第２の列を成すプリントノズルが含む前記第１の回路の位置に対し１８０度回転されており、前記第１の列を成すプリントノズルが含む前記第２の回路の位置が、前記第２の列を成すプリントノズルが含む前記第２の回路の位置に対し１８０度回転されている、請求項１に記載のプリントヘッドモジュール。
【請求項３】
各プリントノズルにおける前記第１および第２の回路が、前記ページ幅に垂直な一列に配置される、請求項１に記載のプリントヘッドモジュール。
【請求項４】
前記第１の列と前記第２の列とが少なくとも部分的に連結している、請求項１に記載のプリントヘッドモジュール。
【請求項５】
前記第１の列を成す各プリントノズルの前記第１の回路が、
前記第２の列を成すプリントノズルにおける少なくとも１つの隣接するプリントノズルの前記第１の回路と、少なくとも部分的に結合している、請求項４に記載のプリントヘッドモジュール。
【請求項６】
前記第１の列を成す少なくとも過半数のプリントノズルのそれぞれが、前記第２の列を成す、対応するプリントノズルと対になる、請求項１に記載のプリントヘッドモジュール。
【請求項７】
複数の第１の列および複数の第２の列を含み、前記第１の列のそれぞれが、前記第２の列のうちの１つと対になる、請求項１に記載のプリントヘッドモジュール。
【請求項８】
前記第１の列と前記第２の列とが同じ色を印刷するように構成される、請求項１に記載のプリントヘッドモジュール。
【請求項９】
前記第１の列と前記第２の列とが同じインクを印刷するように構成される、請求項８に記載のプリントヘッドモジュール。
【請求項１０】
前記第１の列と前記第２の列とが、同じインク供給部に連結されている、請求項９に記載のプリントヘッドモジュール。
【請求項１１】
複数の第１の列および複数の第２の列を含み、前記第１の列のそれぞれが前記第２の列のうちの１つと対になり、対になった前記第１の列および前記第２の列が、同じインクを印刷するように構成される、請求項１０に記載のプリントヘッド。
【請求項１２】
対になった前記第１の列および前記第２の列が、同じインク供給部に連結されている、請求項１１に記載のプリントヘッドモジュール。
【請求項１３】
前記第１の列と前記第２の列とが、少なくとも１つの電源ノードを共有するように構成される、請求項１に記載のプリントヘッドモジュール。
【請求項１４】
前記電源ノードがアースである、請求項１３に記載のプリントヘッドモジュール。
【請求項１５】
前記電源ノードが電流供給管である、請求項１３に記載のプリントヘッドモジュール。
【国際調査報告】
2008510635.tif 000007